(57)【要約】【課題】所望する角度に自在に屈曲でき、調節した角度を確実に保持可能な角度調節装置を提供する。【解決手段】前板材１１と後板材１２との対向端部に左右方向に重合し得る突片１６，１８をそれぞれ設け、一方の突片１８における枢軸１０を中心とする同一円周上に複数のピン挿入孔２７を、また他方の突片１６における前記枢軸１０から前記ピン挿入孔２７と等距離の位置にピン保持孔２６を設け、このピン保持孔２６と選択したピン挿入孔２７とに挿入することにより、両部材の相互の角度を、選択したピン挿入孔２７に関連する角度に固定するようにした係止ピン２５を、基端部が枢軸１０に枢支された回動自在な支持アーム２１の遊端部に設け、さらに、前記係止ピン２５を突片１８へ向けて付勢するばね２０を設ける。【選択図】        図２
2004305365.tif 000002
【特許請求の範囲】
【請求項１】
近接端同士を、左右方向を向く枢軸をもって互いに回動自在に枢着された前後の２部材の関係角度を調節しうる２部材間の関係角度調節装置であって、前記２部材の近接端部に左右方向に重合し得る突片をそれぞれ設け、この突片のいずれか一方における枢軸を中心とする同一円周上に複数のピン挿入孔を、また他方の突片における前記枢軸から前記ピン挿入孔と等距離の位置に少なくとも１個のピン保持孔を設け、このピン保持孔と選択したピン挿入孔とに挿入することにより、両部材の相互の角度を、選択したピン挿入孔に関連する角度に固定するようにした係止ピンを、基端部が枢軸に枢支された回動自在な支持アームの遊端部に設け、さらに、前記係止ピンを突片へ向けて付勢する付勢手段を設けたことを特徴とする２部材間の関係角度調節装置。
【請求項２】
係止ピンに把持用つまみを一体に設けたことを特徴とする請求項１に記載の２部材間の関係角度調節装置。
【請求項３】
係止ピンを支持アームに固着し、前記支持アームを枢軸に軸線方向に移動可能として枢支し、かつ、付勢手段を、枢軸における突片から離れた部分に設けられたスプリングリテーナと、支持アームとの間に縮設された圧縮コイルばねとしたことを特徴とする請求項１または２に記載の２部材間の関係角度調節装置。
【請求項４】
支持アームが、対向する面を連結杆をもって互いに連結された２枚の平行な板材からなり、一方の板材の遊端部に係止ピンを突設し、かつ、他方の板材の遊端部に把持用つまみを突設したことを特徴とする請求項２またはそれに従属する３に記載の２部材間の関係角度調節装置。
【請求項５】
枢軸をもって枢着された前後の２部材を、商品陳列台における基台上に載置されて商品を陳列する陳列板における前板材と後板材としたことを特徴とする請求項１〜４のいずれかに記載の２部材間の関係角度調節装置。
【発明の詳細な説明】
【０００１】
【発明の属する技術分野】
本発明は、近接端同士を枢着した２部材の関係角度を所望に調節し、保持するための２部材間の関係角度調節装置に関する。
【０００２】
【従来の技術】
従来のこの種の角度調節装置は、例えばスーパーマーケットやコンビニエンスストアなどにおいて、販売する商品を陳列するための商品陳列台などに用いられている。このような用途では、商品陳列台の棚板に見栄え良く商品を陳列するため、棚板の傾斜角度を自在に設定できる角度調節装置が知られている。この角度調節装置では、棚板を支持するブラケットの基部に所定形状の長孔を設け、この長孔と係止軸とを、所定位置において噛合して、ブラケットの角度を調節している（例えば特許文献１参照）。
【０００３】
【特許文献１】
特開昭４７−２２２６７号公報
【０００４】
【発明が解決しようとする課題】
しかし、上述のような従来の角度調節装置では、角度調節をするのに、その都度、棚板を外して、長孔と係止軸との噛合を調節する必要があり、容易な操作で角度を変更することは難しかった。
【０００５】
本発明は、従来の技術が有する上述のような問題点に鑑みてなされたもので、２部材の相対角度を所望の角度で自在に屈曲でき、かつ調節した角度を、確実に保持可能な角度調節装置を提供することを目的としている。
【０００６】
【課題を解決するための手段】
本発明によると、上記課題は、次のようにして解決される。
（１）  近接端同士を、左右方向を向く枢軸をもって互いに回動自在に枢着された前後の２部材の関係角度を調節しうる角度調節装置であって、前記２部材の近接端部に左右方向に重合し得る突片をそれぞれ設け、この突片のいずれか一方における枢軸を中心とする同一円周上に複数のピン挿入孔を、また他方の突片における前記枢軸から前記ピン挿入孔と等距離の位置に少なくとも１個のピン保持孔を設け、このピン保持孔と選択したピン挿入孔とに挿入することにより、両部材の相互の角度を、選択したピン挿入孔に関連する角度に固定するようにした係止ピンを、基端部が枢軸に枢支された回動自在な支持アームの遊端部に設け、さらに、前記係止ピンを突片へ向けて付勢する付勢手段を設ける。
【０００７】
（２）  前記（１）項において、係止ピンに把持用つまみを一体に設ける。
【０００８】
（３）  前記（１）または（２）項において、係止ピンを支持アームに固着し、前記支持アームを枢軸に軸線方向に移動可能として枢支し、かつ、付勢手段を、枢軸における突片から離れた部分に設けられたスプリングリテーナと、支持アームとの間に縮設された圧縮コイルばねとする。
【０００９】
（４）  前記（２）またはそれに従属する（３）項において、支持アームが、対向する面を連結杆をもって互いに連結された２枚の平行な板材からなり、一方の板材の遊端部に係止ピンを突設し、かつ、他方の板材の遊端部に把持用つまみを突設する。
【００１０】
（５）  前記（１）〜（４）項のいずれかにおいて、枢軸をもって枢着された前後の２部材を、商品陳列台における基台上に載置されて商品を陳列する陳列板における前板材と後板材とする。
【００１１】
【発明の実施の形態】
以下、本発明の一実施形態による角度調節装置を備えた商品陳列台を、図１〜図７を参照して説明する。
【００１２】
この商品陳列台は、下端四隅にキャスタ（１）を設けた、上下面が開口する中空箱状の基台（２）と、この基台（２）の前部上端に、左右方向を向くヒンジ軸（３ａ）を有する蝶番（３）をもって前部が枢着され、かつ後部の高さを、高さ調節手段（４）により調節することにより、水平位置と所望の後上向き傾斜状態とに保持し得るようにした中折れ式の陳列板（５）とを備えている。
【００１３】
高さ調節手段（４）は、基台（２）における後面板（２ａ）の前面に固着され、かつ前縁に複数の上向きフック状の係止部（６ａ）が上下方向に並べて設けられた受け部材（６）と、上端が陳列板（５）の後部に左右方向を向く軸（７ａ）をもって枢着され、かつ下端に左右方向を向く横杆（７ｂ）が設けられた支持杆（７）とを備え、この支持杆（７）の横杆（７ｂ）を、受け部材（６）の所望の係止部（６ａ）に係止させることにより、陳列板（５）の後部を、係止部（６ａ）の位置と支持杆（７）の上下方向の長さとにより定まる所望の高さに保持することができるようになっている。
【００１４】
陳列板（５）は、近接部を左右方向を向く枢軸（１０）をもって枢着された前板材（１１）と後板材（１２）とからなり、それらの相互にまたがって、関係角度を調節しうる角度調節手段（１３）が設けられている。
【００１５】
前板材（１１）の前端には、上方を向く前面板（８）が、また前板材（１１）と後板材（１２）の両側端には、上方を向く側板（９）（９）が、それぞれ固着されて、陳列板（５）上に載置された商品の落下防止用の柵となっている。
【００１６】
図２に分解して示すように、前板材（１１）における左右の側部補強杆（１４）（その右方のもののみを図示する）の外側片（１４ａ）と内側片（１４ｂ）との後端には、それぞれ後方を向く低寸の突片（１５）と、同じく高寸の突片（１６）とが、それぞれ、突設されている。
【００１７】
後板材（１２）における左右の側部補強杆（１４）の外側片（１４ａ）と内側片（１４ｂ）との前端には、それぞれ、前方を向く低寸の突片（１７）と、同じく高寸の突片（１８）とが突設されている。
【００１８】
左右に対向する突片（１５）（１６）及び（１７）（１８）の互いに整合する位置には、軸孔（１９）がそれぞれ穿設されており、それらの軸孔（１９）がすべて一直線に並ぶように、突片（１５）と突片（１６）、及び突片（１７）と突片（１８）を互いに左右に重合させて、全軸孔（１９）に枢軸（１０）を嵌挿することにより、前板材（１１）と後板材（１２）とは互いに枢着されている。
【００１９】
また、枢軸（１０）は、圧縮コイルばね（２０）の内腔に挿通され、さらに、２枚の支持アーム（２１）（２１）の基端部にそれぞれ穿設された軸孔（２２）（２２）へ挿通されている。この２枚の支持アーム（２１）（２１）同士は、上下２本の連結棒（２３）（２３）で互いに結合されている。外側の支持アーム（２１）の遊端部外側面には、把持杆（２４）が設けられており、内側の支持アーム（２１）の遊端部内側面には、係止ピン（２５）が突設されている。
【００２０】
圧縮コイルばね（２０）は、スプリングリテーナとしての突片（１７）、と外側の支持アーム（２１）との間に縮設され、２枚の支持アーム（２１）（２１）は、ともに圧縮コイルばね（２０）によって、突片（１８）に向けて付勢されている。それに連動して、支持アーム（２１）に突設された係止ピン（２５）も、突片（１８）に向けて付勢されている。
【００２１】
高寸の突片（１６）における、枢軸（１０）から等距離の位置には、前後１対のピン保持孔（２６）（２６）が穿設されている。
【００２２】
また、突片（１８）には、枢軸（１０）を中心とし、かつ枢軸（１０）から上記ピン保持孔（２６）までの距離を半径とする同一円周上に、複数の、この例では５個のピン挿入孔（２７）が、等間隔をもって穿設されている。このピン挿入孔（２７）は、貫通孔であっても、非貫通の有底孔であってもよい。
【００２３】
図３および図４に示すように、支持アーム（２１）の遊端部に配設された把持杆（２４）を把持して、圧縮コイルばね（２０）の付勢力に抗して、図の右方向へ引っ張る。把持杆（２４）を把持したまま、支持アーム（２１）を枢軸（１０）を中心にして回動させ、係止ピン（２５）を所望のピン挿入孔（２７）へ誘導し、挿入する。
【００２４】
この挿入時に、把持用つまみ（２４）を離すと、圧縮コイルばね（２０）の付勢により、係止ピン（２５）はピン挿入孔（２７）へ押し入れられる。また、係止ピン（２５）は、ピン挿入孔（２７）へ嵌挿された後も、圧縮コイルばね（２０）により付勢され続けているので、係止ピン（２５）がピン挿入孔（２７）から脱落することはない。
【００２５】
なお、枢軸（１０）は、その先端に設けた環溝（１０ｂ）へ嵌合したＥリング（１０ａ）をもって、軸孔（１９）より抜け止めされている。
【００２６】
しかして、前後いずれかのピン保持孔（２６）と、任意に選択したいずれかのピン挿入孔（２７）とを互いに整合させて、それらに係止ピン（２５）を挿入することにより、前後の板材（１１）（１２）の相互の角度を、選択したピン保持孔（２６）とピン挿入孔（２７）との各位置によって定まる角度に固定することができる。
【００２７】
すなわち、各突片（１６）（１８）に設けられたピン保持孔（２６）及びピン挿入孔（２７）と、係止ピン（２５）、支持アーム（２１）、圧縮コイルばね（２０）、連結棒（２３）、把持杆（２４）、枢軸（１０）とにより、角度調節手段（１３）が形成されている。
【００２８】
本発明の一実施形態による角度調節装置を備える上記商品陳列台においては、角度調節手段（１３）と高さ調節手段（４）とを適宜調節することにより、例えば、図５に示すように、陳列板（２）における前板材（１１）と後板材（１２）とが、側面視において一直線上に並び、かつ後上向きに傾斜するようにして、陳列板（２）を保持したり、図６に示すように、基台（２）に対して、前板材（１１）が小さい傾斜角度をもって後上向きに傾斜し、かつ後板材（１２）がそれより大きい傾斜角度をもって後上向きに傾斜するように、陳列板（５）を保持したり、または図７に示すように、前板材（１１）が後上向き傾斜し、かつ後板材（１２）が、水平をなすか、または前板材（１１）より小さい角度で後上向き傾斜するか、もしくは後下向きに傾斜するように、陳列板（５）を保持したりすることができる。
【００２９】
なお、図６に示すように、前板材（１１）と後板材（１２）とを、それらの上面が１８０°より小さい角度をなすように角度設定したとき、前後の側板（９）（９）が互いに干渉し合わないようにするため、前方の側板（９）の後縁を前上向き傾斜するように、また後方の側板（９）の前端を、後上向き傾斜するように、それぞれ斜切してある。
【００３０】
本発明は、上記の例に限定されるものではなく、多様の変形が可能である。
【００３１】
例えば、１対の支持アーム（２１）（２１）を、枢軸（１０）に回転可能ではあるが、軸線方向に移動不能として枢着し、両支持アーム（２１）（２１）に対して、係止ピン（２５）と把持用つまみ（２４）とを一体として左右方向に移動可能として嵌合し、係止ピン（２５）を適宜の付勢手段をもって突片（１８）に向けて付勢するようにしてもよい。
【００３２】
【発明の効果】
本発明によると、次のような効果を奏することができる。
（１）  請求項１記載の発明によると、角度調節手段を簡単な構造とすることができるとともに、係止ピンを所望のピン挿入孔とピン保持孔とに挿脱するという簡単な操作で、前後の２部材同士を所望の段階的な角度で固定したり、フリーとしたりすることができる。
また、係止ピンが角度調節手段から完全に離脱することがないので、紛失のおそれがなく、しかも付勢手段により常時付勢されているので、振動等によりピン挿入孔等から脱落することもない。
【００３３】
（２）  請求項２記載の発明によると、係止ピンをピン挿入孔に挿抜するのを、把持用つまみをもって簡単に行うことができるので、操作性がよい。
【００３４】
（３）  請求項３記載の発明によると、係止ピンを簡単な構造で確実に支持することができるとともに、係止ピンを枢軸に沿って円滑に移動させることができ、しかも構成部材が外部に露呈することなく、体裁がよい。
【００３５】
（４）  請求項４記載の発明によると、係止ピンを常時枢軸と平行になるように確実に支持することができる。
【００３６】
（５）  請求項５記載の発明によると、前板材と後板材との角度を任意に設定できるので、多様な態様を採用することができる。
【図面の簡単な説明】
【図１】本発明の一実施形態を備えた商品陳列台の側板を外した状態の側面図である。
【図２】同じく、角度調節部分の拡大分解斜視図である。
【図３】図２図示の角度調節手段の操作を説明するための側面図である。
【図４】同じく、図３図示の状態から係止ピンを外したときの側面図である。
【図５】陳列板の前板材と後板とを直線状として、陳列板の後部を持ち上げた使用状態を示す、図１と同様の側面図である。
【図６】陳列板を中折れ状態として、その後部を持ち上げた使用状態を示す、図１と同様の側面図である。
【図７】陳列板の前板材を後上向き傾斜とし、かつ後板材を水平とした使用状態を示す、図１と同様の側面図である。
【符号の説明】
（１）キャスタ
（２）基台
（３）蝶番
（４）高さ調節手段
（５）陳列板
（６）受け部材
（６ａ）係止部
（７）支持杆
（７ａ）軸
（７ｂ）横杆
（８）前面板
（９）側板
（１０）枢軸
（１０ａ）Ｅリング
（１０ｂ）環溝
（１１）前板材
（１２）後板材
（１３）角度調節手段
（１４）側部補強杆
（１４ａ）外側片
（１４ｂ）内側片
（１５）（１６）（１７）（１８）突片
（１９）軸孔
（２０）圧縮コイルばね
（２１）支持アーム
（２２）軸孔
（２３）連結杆
（２４）把持杆
（２５）係止ピン
（２６）ピン保持孔
（２７）ピン挿入孔
【図１】
2004305365.tif 000003
【図２】
2004305365.tif 000004
【図３】
2004305365.tif 000005
【図４】
2004305365.tif 000006
【図５】
2004305365.tif 000007
【図６】
2004305365.tif 000008
【図７】
2004305365.tif 000009